(57)【要約】【課題】  殺菌水生成ユニットを含むケースの一側面に入水部と出水部を一緒に持つことで、一方向に入出水部が形成された多様な形態の殺菌水生成装置製品を具現し、殺菌水の生成を円滑にして高濃度の殺菌水を連続して充分に供給し、従来の隔壁を排除してからも、水の流動を遅延や停滞させることができる電気分解を用いた殺菌水製造装置を提供する。【解決手段】  入水部から供給される水を水中放電して殺菌水を生成し、出水部に前記殺菌水を排出する殺菌水生成カートリッジであって、前記水を水中放電するためのもので、電極連結部を持つ陰電極板と陽電極板を含む殺菌水生成ユニット；及び前記殺菌水生成ユニットを中間に収容し、前記電極連結部が貫通する電極連結部貫通孔が形成されており、一側面に前記殺菌水生成ユニットの両側に入水部と出水部を持つケース；を含む。【選択図】  図３
2014046309.tif 000002
【特許請求の範囲】
【請求項１】
入水部から供給される水を水中放電して殺菌水を生成し、出水部に前記殺菌水を排出する殺菌水生成カートリッジにおいて、
前記水を水中放電するためのもので、電極連結部を持つ陰電極板と陽電極板を含む殺菌水生成ユニット；及び
前記殺菌水生成ユニットを中間に収容し、前記電極連結部が貫通する電極連結部貫通孔が形成されており、一側面に前記殺菌水生成ユニットの両側に入水部と出水部を持つケース；を含む、一方向入出水部を持つ殺菌水生成カートリッジ。
【請求項２】
前記陰電極板と陽電極板は、殺菌水生成ユニットの一端において互いに異なる位置に同一方向に折り曲げられて形成された電極連結部をそれぞれ持つことを特徴とする、請求項１に記載の一方向入出水部を持つ殺菌水生成カートリッジ。
【請求項３】
前記殺菌水生成ユニットの陰電極板と陽電極板のうち、前記入水部が位置する側に存在する電極板は平板状を持ち、前記出水部が位置する側に存在する電極板は多数の細長いスロットを持つことを特徴とする、請求項１に記載の一方向入出水部を持つ殺菌水生成カートリッジ。
【請求項４】
前記ケースは、前記殺菌水生成ユニットの周縁部に対応する多数の支持棒を含むことを特徴とする、請求項１に記載の一方向入出水部を持つ殺菌水生成カートリッジ。
【請求項５】
前記多数の支持棒は、前記入水部と出水部が形成された一側から他側に行くほど大きさが小さくなることを特徴とする、請求項１に記載の一方向入出水部を持つ殺菌水生成カートリッジ。
【請求項６】
前記ケースは、前記殺菌水生成ユニットの上下側で前記陰電極板と陽電極板を支持する支持部を含むことを特徴とする、請求項１に記載の一方向入出水部を持つ殺菌水生成カートリッジ。
【発明の詳細な説明】
【技術分野】
【０００１】
本発明は殺菌水を生成するカートリッジに係り、特に一方向に入水部及び出水部を持つことにより、多様な形態の殺菌水生成装置製品を具現することができる殺菌水生成カートリッジに関する。
【背景技術】
【０００２】
近年、人々の所得が高くなるにつれて、生活水準が高くなって飲用水だけでなく洗浄水などの一般生活用水などにおいても、もっときれいなものがほしいか高品質用水を使おうとする欲求が大きくなっている。
【０００３】
よって、用水の浄水及び殺菌に対する関心が大きくなって多様な浄水及び殺菌作用をする装置が提示されている。一般に、浄水作用は様々なフィルターなどによってなされ、殺菌作用は主に塩素系に代表される化学的殺菌剤を使うか、オゾン、紫外線、超音波などを用いる殺菌装置によって行われている。
【０００４】
ところで、このような従来の殺菌装置は、化学的殺菌剤を使う場合、殺菌剤をさらに添加して殺菌を行うため、濾過工程をさらに実施しなければならなく、殺菌装置を使う場合には、オゾンや紫外線などを発生させる別途の装置を設置しなければならないため、装置が複雑で設置費用がもっと高くかかる問題点がある。
【０００５】
したがって、前記のような問題点を改善するために、従来には水に含まれている塩素イオンを電気分解によって殺菌水にする殺菌水製造装置が開示されている。これは、電解槽の内部に多数の隔壁（または隔膜）を設置して水の流動を遅延または停滞させながら多数の電極による水の電気分解を引き起こして実時間で殺菌水を生産及び使用可能とするものである。
【０００６】
このように改善された従来の電気分解による殺菌水製造装置は、連続して流出入する水を電気分解によって優れた殺菌水にするために、電解槽に内蔵される電極のサイズ及び数量が増加することになり、これにつれて装置のサイズも比例して増加することになる問題があり、また電極に投入される電力が増加することになるため、電源供給部の電源供給容量を増加させなければならない問題が発生する。
【０００７】
さらに、別途の隔壁が付加されることにより、殺菌水製造装置の大きさが不必要に増大する要因として作用する問題がある。
【０００８】
また、従来の殺菌水生成カートリッジは、概して水が流入する入水部と殺菌水が流出する出水部が互いに対向する反対方向に位置し、これを用いた殺菌水生成装置は不可避に一方向にだけ伸びた制限された構造を持つしかなかった。
【０００９】
これに関連し、特許文献１（名称：電気分解を用いた殺菌水製造装置）は、内部空間が形成され、一側が開口した電解槽；前記電解槽の開口を開閉させ、前記内部空間に対して水を流出入させる流入口及び流出口が形成される電解槽カバー；及び前記電解槽内に内蔵され、供給される電源によって前記内部空間に流入した水を電気分解させる陽電極板及び陰電極板でなる電極；を含み、前記電解槽カバーには前記流出口と連通し、前記電解槽の内部空間に対向して突出する案内口が形成されたことを特徴とする、電気分解を用いた殺菌水製造装置を開示している。
【００１０】
しかし、このような殺菌水製造装置は、電極のサイズが小さくて電源供給容量を相対的に減らすことができるかは知れないが、それから生成される殺菌水の数量があまり少なくて、水の流動方向が上向式であるため、殺菌水の流出が円滑でないし、その内部に殺菌水がたまってむしろ汚染することができる深刻な問題点を持っている。
【先行技術文献】
【特許文献】
【００１１】
【特許文献１】大韓民国公開特許第２０１０−０１２５８６０号明細書
【発明の概要】
【発明が解決しようとする課題】
【００１２】
本発明は前記のような問題点を解決するためのもので、殺菌水生成ユニットを含むケースの一側面に入水部と出水部を一緒に持つことにより、一方向に入出水部が形成された多様な形態の殺菌水生成装置製品を具現することをその目的とする。
【００１３】
また、本発明は、殺菌水の生成を円滑にして高濃度の殺菌水を連続して充分に供給することを他の目的とする。
【００１４】
また、本発明は、従来の隔壁を排除してからも、水の流動を遅延や停滞させることができる電気分解を用いた殺菌水製造装置を提供することにさらに他の目的とする。
【課題を解決するための手段】
【００１５】
前記のような目的を達成するために、本発明による殺菌水生成カートリッジは、入水部から供給される水を水中放電して殺菌水を生成し、出水部に前記殺菌水を排出する殺菌水生成カートリッジであって、前記水を水中放電するためのもので、電極連結部を持つ陰電極板と陽電極板を含む殺菌水生成ユニット；及び前記殺菌水生成ユニットを中間に収容し、前記電極連結部が貫通する電極連結部貫通孔が形成されており、一側面に前記殺菌水生成ユニットの両側に入水部と出水部を持つケース；を含む。
【００１６】
前記陰電極板と陽電極板は、殺菌水生成ユニットの一端において互いに異なる位置に同一方向に折り曲げられて形成された電極連結部をそれぞれ持つことができる。
【００１７】
前記殺菌水生成ユニットの陰電極板と陽電極板のうち、前記入水部が位置する側に存在する電極板は平板状を持ち、前記出水部が位置する側に存在する電極板は多数の細長いスロットを持つことができる。
【００１８】
前記ケースは、前記殺菌水生成ユニットの周縁部に対応する多数の支持棒を含むことができる。
【００１９】
前記多数の支持棒は、前記入水部と出水部が形成された一側から他側に行くほど大きさが小さくなることができる。
【００２０】
前記ケースは、前記殺菌水生成ユニットの上下側で前記陰電極板と陽電極板を支持する支持部を含むことができる。
【発明の効果】
【００２１】
このような本発明は、殺菌水生成ユニットを含むケースの一側面に入水部と出水部を一緒に持つことにより、一方向に入出水部が形成された多様な形態の殺菌水生成装置製品を具現することができる効果がある。
【００２２】
また、本発明は、殺菌水の生成を円滑にして高濃度の殺菌水を連続して充分に供給することができる利点がある。
【００２３】
また、本発明は、従来の隔壁を排除して、水の流動方向を平行にかつ上向きに制御して、水の流入量対比流出量を相対的に小さくする方式の構造に改善することにより、水の流動を遅延や停滞させることが可能であって、殺菌水生成装置の大きさが無駄に増大することを防止することができる。
【図面の簡単な説明】
【００２４】
【図１】本発明の好適な一実施例による殺菌水生成カートリッジの結合斜視図である。
【図２】本発明による殺菌水生成カートリッジの上部ケースが分解された一例を示す分解斜視図である。
【図３】本発明の好適な一実施例による殺菌水生成カートリッジの分解斜視図である。
【図４】本発明による殺菌水生成カートリッジの上部ケース下面の一例を示す分解斜視図である。
【図５】本発明の好適な一実施例による殺菌水生成カートリッジの正面図である。
【図６】図５のＢ部分を示す断面図である。
【図７】図５のＡ部分を示す断面図である。
【図８】本発明の好適な一実施例による殺菌水生成カートリッジの側面図である。
【図９】本発明の好適な一実施例による殺菌水生成カートリッジ内部に水が流入する状態を説明する組立斜視図である。
【図１０】本発明の好適な一実施例による殺菌水生成カートリッジ内部から殺菌水が流出する状態を説明する組立斜視図である。
【発明を実施するための形態】
【００２５】
本発明は多様に変更可能であり、様々な実施例を持つことができるが、特定の実施例を図面に例示し詳細な説明で詳細に説明しようとする。しかし、これは本発明を特定の実施形態に限定しようとするものではなく、本発明の思想及び技術範囲に含まれるすべての変換、均等物ないし代替物を含むものとして理解しなければならない。本発明の説明において、関連の公知技術についての具体的な説明が本発明の要旨をあいまいにすることができると判断される場合はその詳細な説明を省略する。
【００２６】
本出願明細書で使用した用語は単に特定の実施例を説明するために使用されたもので、本発明を限定しようとする意図ではない。単数の表現は文脈上別に言及しない限り、複数の表現も含む。本出願明細書において、“含む”または“持つ”などの用語は明細書上に記載された特徴、数字、段階、動作、構成要素、部品またはこれらの組合せが存在することを指定しようとするものであり、一つまたはそれ以上の他の特徴、数字、段階、動作、構成要素、部品またはこれらの組合せなどの存在または付加可能性を予め排除しないものとして理解しなければならない。
【００２７】
第１、第２などの用語は多様な構成要素を説明するのに使用できるものであるが、前記構成要素は前記用語によって限定されてはいけない。前記用語は一つの構成要素を他の構成要素と区別する目的だけで使われる。
【００２８】
図１は本発明の好適な一実施例による殺菌水生成カートリッジ１の結合斜視図、図２は本発明による殺菌水生成カートリッジ１の上部ケース１００ａが分解された一例を示す分解斜視図、図３は本発明の好適な一実施例による殺菌水生成カートリッジ１の分解斜視図、図４は本発明による殺菌水生成カートリッジ１の上部ケース１００ａの下面の一例を示す分解斜視図である。
【００２９】
本発明は入水部１２０から供給される水を水中放電して殺菌水を生成して出水部１３０を通じて前記殺菌水を排出する殺菌水生成カートリッジ１に係わる。すなわち、本発明は基本的に水を水中プラズマイオン状態にする水中放電を用いて水中でプラズマ放電を引き起こし、これにより発生した陰イオン（Ｏ−、Ｏ３−、ＯＨ−、ＨＯＣｌ、Ｈ２Ｏ２を用いて水中の各種細菌、ウイルス、バクテリアなどを殺菌するものである。
【００３０】
このような本発明による殺菌水生成カートリッジ１は、基本的に水を水中放電して殺菌水を生成する殺菌水生成ユニット１０と、前記殺菌水生成ユニット１０を内部に収容するケース１００とを含んでなる。
【００３１】
前記殺菌水生成ユニット１０は、外部から供給される水を水中放電するための陰電極板と陽電極板２ａ、２ｂを含む。すなわち、水分子を水中放電の原理を用いて分解することにより、殺菌力を持つことができるメカニズムにするものである。そして、前記陰電極板と陽電極板２ａ、２ｂの間には、その一対の電極板２ａ、２ｂを離隔させる離隔部５を持つ電極分離板３がさらに設けられることができる。前記電極板２の内部には細長いスロットが複数形成されており、このスロットを通じて水が通過しながら水中放電によって殺菌水が生成される。このような電極板２は、多数の陰電極板と陽電極板２ａ、２ｂが交互に積層された構造を含む。
【００３２】
電極板２のまわりにはスロットが形成されなかった周縁部が設けられている。この周縁部には、電極板２に電源を供給する電極連結部４が形成されている。すなわち、本発明は、前記陰電極板と陽電極板２ａ、２ｂのそれぞれに互いに異なる極性を印加して両極板の間で水中放電を引き起こすように電源を印加する電極連結部４ａ、４ｂが連結されることが好ましい。このために、前記電極連結部４は電極板２に連結され、外部から電源を受けるように外部電源と連結可能な形状を持てば充分である。例えば、前記電極連結部４は本発明による殺菌水生成カートリッジ１の外部に突出しているか前記外部電源と連結されているすべての構造を含む。また、前記電極連結部４が電極板２に連結される位置は特に制限されなくて、電極板２のいずれの位置にも形成可能である。ただ、二つの電極連結部４ａ、４ｂは陰電極板と陽電極板２ａ、２ｂのいずれにも接触しないように電極板２の相異なる位置に形成されることが好ましい。
【００３３】
より好ましくは、前記陰電極板と陽電極板２ａ、２ｂが、図１に示すように、殺菌水生成ユニット１０の一端において互いに異なる位置に同一方向に折り曲げられて形成された電極連結部４ａ、４ｂをそれぞれ持つことが好適である。すなわち、前記電極連結部４ａ、４ｂが前記陰電極板と陽電極板２ａ、２ｂの一端において互いに対向する位置に形成されれば、これから製作された殺菌水生成カートリッジ１に外部電源を連結することが容易である。また、前記電極連結部４ａ、４ｂが同一方向に折り曲げられて形成されれば、外部電源を前記殺菌水生成カートリッジ１のどんな方向からも供給することができるので、製作者の意図及び製品の形態に応じて多様なデザインが可能である。
【００３４】
前記ケース１００は、殺菌水生成ユニット１０を内部中間に収容し、前記電極連結部４を外部に貫通する電極連結部貫通孔１１０が形成され、一側面には前記殺菌水生成ユニット１０の両側に入水部１２０及び出水部１３０を持つことが特徴である。
【００３５】
具体的に、前記ケース１００は分離及び組立が容易になるように下部ケース１００ｂ及び上部ケース１００ａを含んでなることができ、殺菌水生成ユニット１０を内部中間領域に収容する。本明細書において、前記ケース１００が殺菌水生成ユニット１０を中間に収容するというのは、前記殺菌水生成ユニット１０がケース１００内部の上面及び底面と接触して位置せず、前記上面及び底面との間に所定の距離を持っている形に備えられていることを意味する。これにより、本発明は、このように殺菌水生成ユニット１０とケース１００内部の上面及び底面の間に存在する空間を通じて水と殺菌水が移動できるようにするものである。
【００３６】
すなわち、本発明において、殺菌水生成ユニット１０はケース１００内部中間に位置して、前記内部空間を二つの画室に区画することができ、このように区画された画室を通じてそれぞれ水を流入し、殺菌水を流出させるものである。これにより、前記ケース１００内部の区画された空間はどの場合にも流体流動が可能なことが好ましい。例えば、電極板２のスロットを通じて流体が流動することもでき、殺菌水生成ユニット１０がケース１００内部の一側面にだけ接触しているので、それではない他側面に沿って流体が流動することもできる。好ましくは、前記殺菌水生成ユニット１０がケース１００の内部空間を上下に区画することが好ましい。この場合、水と殺菌水の内部流れを水平にすることができるので、垂直に流れる量より多量の殺菌水を効率よく生成することができる。
【００３７】
そして、本発明のケース１００は、前記電極連結部４を貫通する電極連結部貫通孔１１０を含む。前記電極連結貫通孔１００は電極板２に連結された電極連結部４を本発明によるカートリッジ１の外部と連結させるためのもので、前記電極連結部４の断面積とほぼ同一であるかそれより大きい孔であることができ、これが形成される位置や形状は特に制限されない。ただ、図３に示すように、前記電極連結貫通孔１００が入出水部１２０、１３０の形成された面と同一面上にあるか、あるいはそれに平行な面ではない、前記入出水部１２０、１３０に垂直な方向に形成されれば、より圧縮された構造を持つコンパクトな形状の殺菌水生成装置を製造することができる。
【００３８】
また、本発明は、ケース１００の一側面において前記殺菌水生成ユニット１０の両側に入水部１２０と出水部１３０を持つことが特徴である。すなわち、前記入水部１２０と出水部１３０は、図１〜図４に示すように、ケース１００の一方向にまたは一側面に一緒に形成されることが好ましく、また前記入水部１２０と出水部１３０はケース１００の内部において前記殺菌水生成ユニット１０によって区画される両側にそれぞれに形成されたことが特徴である。例えば、図６の断面図に示すように、前記入水部１２０と出水部１３０はケース１００の内部において殺菌水生成ユニット１０を中心に互いに対向する空間に形成されるものである。このように、本発明は、入水部１２０と出水部１３０が前記殺菌水生成ユニット１０の両側に形成されることにより、流入する水が前記殺菌水生成ユニット１０の電気分解によって殺菌水に変換された後に流出することができる。
【００３９】
よって、本発明は、前記殺菌水生成ユニット１０の一側に形成された入水部１２０を通じて水が流入すれば、前記殺菌水生成ユニット１０によって流入した水を電気分解して殺菌水を生成し、このように生成された殺菌水を前記殺菌水生成ユニット１０の他側に形成された出水部１３０を通じて外部に供給することができるものである。かかる本発明は、殺菌水生成ユニット１０を含むケース１００の一側面に入水部１２０と出水部１３０を一緒に持つので、一方向に入出水部１２０、１３０が形成された多様な形態の殺菌水生成装置製品を製造することができ、さらに従来と類似した大きさの電極板２を使うことにより、高濃度の殺菌水を連続して円滑に生産することができる効果がある。
【００４０】
また、本発明において、前記ケース１００は、殺菌水生成ユニット１０を内部に収容するにあたり、入水部１２０と出水部１３０が形成された内側で前記殺菌水生成ユニット１０の側面と密着した構造を持つことが好ましい。すなわち、前記殺菌水生成ユニット１０の側面がケース１００の内側に一致して固定されることにより、水が通過することができない気密な構造を持つものである。それで、入水部１２０に流入した原水が出水部１３０にすぐ排出されないようにすることができる。
【００４１】
一方、図５は本発明の好適な一実施例による殺菌水生成カートリッジ１の正面図、図６は図５のＢ部を示す断面図、図７は図５のＡ部を示す断面図、図８は本発明の好適な一実施例による殺菌水生成カートリッジ１の側面図である。
【００４２】
図１〜図８を参照して、本発明の他の特徴をより詳細に説明する。
【００４３】
本発明は、前記のように、ケース１００の一側面において前記殺菌水生成ユニット１０の両側に入水部１２０と出水部１３０を持つことが特徴であり、前記入水部１２０と出水部１３０はそれぞれ殺菌水生成ユニット１０の上側と下側または下側と上側に備えられることができる。好ましくは、図６に示すように、入水部１２０が殺菌水生成ユニット１０の下側に形成され、出水部１３０が上側に形成されれば、水と殺菌水の流動方向を平行に制御するとともに上向きにして、水の流入量対比流出量を相対的に少なくすることができる。さらに、これにより、水の流動を遅延や停滞させることができ、殺菌水生成装置の大きさを小型化し、水がたまって腐敗することは最小化することができる効果がある。
【００４４】
また、本発明において、殺菌水生成ユニット１０の陰電極板と陽電極板２ａ、２ｂのうち前記入水部１２０が位置する側に存在する電極板２ｂは平板状を持ち、前記出水部１２０が位置する側に存在する電極板２ｂは細長い多数のスロットを持つことが好ましい。例えば、図３に示すように、入水部１２０が出水部１２０より下に位置する場合には、殺菌水生成ユニット１０において下側に位置する陽電極板２ｂが平板状を持ち、前記殺菌水生成ユニット１０の上側に位置する陰電極板２ａは多数のスロットを持つものである。このように、入水部１２０側に存在する電極板２ｂが平板状を持つと、入水する水の移動経路をもっと長くすることにより、電極板２の間のより大きな面積に水が均一に広がることができ、これにより、もっと効率的な殺菌水の生成が可能である。
【００４５】
また、本発明は、前記のように、殺菌水生成ユニット１０がケース１００の内部中間領域に位置することを特徴とする。このために、前記ケース１００は、前記殺菌水生成ユニット１０の周縁部に対応する多数の支持棒１４０を含むことが好ましい。前記支持棒１４０は下部ケース１００ｂの内部底面や側面に形成でき、一つの支持棒でなったものよりは、多数の支持棒１４０が一定間隔を置いて並んで配列される場合、前記間隔を通じて水と殺菌水のもっと円滑な流動ができるようにする。また、前記支持棒１４０は、図４に示すように、上部ケース１００ａの内部底面や側面に形成されることもできる。この場合にも、一つの長い形状に形成されることもでき、多数の支持棒が一定間隔で並んでいるように配列されることもできる。さらに、前記支持棒１４０が一つの形状に形成された場合には、一つ以上の溝や孔または切断部が形成されて流路をなすことができ、これを通じて水と殺菌水のより円滑な流動が可能である。
【００４６】
また、前記多数の支持棒１４０は、前記入水部１２０と出水部１３０が形成された一側から他側に行くほどサイズが小さくなるものであることができる。例えば、図３に示すように、前記入水部１２０と出水部１３０が形成された側の支持棒１４０が反対側の支持棒１４０より高い高さを持ち、その上に載せられる殺菌水生成ユニット１０が所定の角度で傾くようにすることができる。すると、流入する水をケース１００の内側に一層早く供給することができるだけではなく、殺菌水の流出を最大限遅延や停滞させることにより、より効果的な殺菌水の生成を可能にすることができる（図９及び図１０参照）。
【００４７】
また、殺菌水生成ユニット１０が水の供給方向に対して斜めに形成されれば、流入する水が前記殺菌水生成ユニット１０に含まれた電極板２に接触する場合、水の流動抵抗が低くなることにより、電極板２に水や気泡が結ぶ現象を最小化することができ、これにより殺菌水の生成効率を一層高めることができる効果がある。そして、流入する水が傾いた殺菌水生成ユニット１０に沿って下がることができるので、その表面に結ぶ現象を最小化することもできる。
【００４８】
また、本発明のケース１００は、前記殺菌水生成ユニット１０の上下側で前記陰電極板と陽電極板２ａ、２ｂを支持する支持部１５０をさらに含むことができる。例えば、図３及び図４に示すように、上部ケース１００ａの下面または下部ケース１００ａの上面には、陰電極板２ａまたは陽電極板２ａと接触する多数の突出型支持部１５０を備えることができる。従来には、殺菌水生成ユニット１０内に存在する極板２間の間隔が大きくなるか、一定でないか、殺菌水生成効率が低かったが、このような本発明は、殺菌水生成ユニット１０の一面と接触するように位置する支持部１５０を介して、前記極板２を上側及び／または下側で加圧して密着することにより、前記極板２間の間隔を一定に維持させることができる。このために、前記上部ケース１００ａと下部ケース１００ａに存在する支持部１５０は互いに対応する部位に位置して、殺菌水生成ユニット１０に対する支持力を高めることができる。さらに、電極分離板３に離隔部５が形成された場合であれば、前記支持部１５０は前記離隔部５と対応する位置に形成されることにより、殺菌水生成ユニット１０に対する支持力を一層極大化することができる。
【００４９】
一方、本発明による殺菌水生成ユニット１０は、殺菌水生成ユニット１０の温度を感知するか制御することができる温度調節手段をさらに含むことが可能である。
【００５０】
すなわち、前記温度調節手段は、殺菌水生成ユニット１０内に含まれた電極板２や水または殺菌水の温度を高めるか低めることができるものである。
【００５１】
このような温度調節手段は、外部から供給される電流によって温度を検出するかあるいは周辺の温度を高くするか低く調節することができる機能を持つすべてのものを含む。例えば、電極板２またはフレームの内部または外部に備えられる熱線などは、外部電源によって電極板２またはその周辺の温度を高めるか低めることができる。
【００５２】
電極板２の間で発生するプラズマは、流入する水の温度、電極板の温度または周辺の温度によって影響されることができるが、本発明は前記のような温度調節手段を用いて、プラズマが最も効果的に発生する最適の温度を設定することができる。
【００５３】
また、電極板２そのものの温度によって前記電極板２に結ぶ水や気泡の発生程度が変わることができるが、本発明は、前記のような温度調節手段によって電極板２の温度を高めることにより、水や気泡が結ぶ現象を最小化することもできる。
【００５４】
さらに、本発明は前記のような殺菌水生成ユニット１０を含む殺菌水生成モジュールまたは殺菌水生成装置であることができ、ここには水をガイドする流路ガイド部材及び／またはこれらを含む別途のケースなどが含まれることができる。
【００５５】
以上に本発明を特定の好適な実施例に基づいて図示しながら説明したが、以下の特許請求範囲によって決められる本発明の技術的特徴や分野を逸脱しない範疇内で本発明が多様に変更及び修正可能であるのは当業界において通常の知識を持った者に明らかなものである。
【産業上の利用可能性】
【００５６】
本発明は、一方向に入水部及び出水部を持つことで、多様な形態の殺菌水生成装置製品を具現することができる殺菌水生成カートリッジに適用可能である。
【符号の説明】
【００５７】
１    殺菌水生成カートリッジ
２    電極板
３    電極分離板
４    電極連結部
５    離隔部
１００    ケース
１１０    電極連結部貫通孔
１１１    電極連結部結合材
１２０    入水部
１３０    出水部
１４０    支持棒
１５０    支持部
１６０    固定部材結合部
【図１】
2014046309.tif 000003
【図２】
2014046309.tif 000004
【図３】
2014046309.tif 000005
【図４】
2014046309.tif 000006
【図５】
2014046309.tif 000007
【図６】
2014046309.tif 000008
【図７】
2014046309.tif 000009
【図８】
2014046309.tif 000010
【図９】
2014046309.tif 000011
【図１０】
2014046309.tif 000012